(57)【要約】【課題】  レーザー溶接を行うこと無く、フィルターを取り付けることができるフィルター取付構造を提供する。【解決手段】  フィルター６３の本体構成部７１に設けられた第１挿入穴９１をノズル２１のボス９２に係止して、本体構成部７１をノズル２１周面５２のフィルター取付部６１に巻き付け、本体構成部７１の先端に設けられた挿通部７２を、本体構成部７１基端の挿通穴８１へ挿通する。挿通部７２を引っ張りながら本体構成部７１側へ折り返して折り癖を付け、その折返し部分を本体構成部７１の基端部に重ね合わせる。本体構成部７１の第１挿入穴９１を挿通したボス９２を、挿通部７２に設けられた第２挿入穴１０４へ挿入し、ボス９２を溶かし潰してフィルター６３をノズル２１に固定する。【選択図】        図３
2005076834.tif 000002
【特許請求の範囲】
【請求項１】
帯状のフィルターをノズルの周面に巻き付けて該周面に開口したポートを覆うフィルター取付構造において、
前記フィルターを、基端部に挿通穴が設けられた本体構成部と、該本体構成部の先端より延出し前記挿通穴へ挿通される挿通部とで構成し、前記本体構成部の先端部及び前記挿通部に、前記周面に突設されたボスが挿入される第１及び第２挿入穴を設ける一方、
このフィルターの前記本体構成部に設けられた前記第１挿入穴を前記ボスに係止して当該本体構成部を前記周面に巻き付け、前記挿通部を前記挿通穴へ挿通して折り返すとともに、当該挿通部の折返し部分を前記本体構成部に重ねた状態で前記第２挿入穴へ前記ボスを挿入し、該ボスを溶かして固定したことを特徴とするフィルター取付構造。
【発明の詳細な説明】
【技術分野】
【０００１】
本発明は、例えば電磁弁のノズル周面に開口したポートへのフィルター取付構造に関する。
【背景技術】
【０００２】
従来、オートマチックトランスミッションの油圧回路には電磁弁が使用されていた。
【０００３】
この電磁弁は、油圧回路が形成されたブロックの連通穴に挿入されるノズルを備えており、該ノズルの周面には、流入したオイルを排出するドレンポートが開設されている。この周面には、薄板帯状のフィルターが巻かれた状態で取り付けられており、ドレンポートを通流するオイルが、このフィルターを通過するように構成されている。
【０００４】
このフィルターを取り付ける際には、フィルターの一端部に設けられた係止穴へノズル周面に突設されたボスを挿入した後、このフィルターを前記ノズルに巻き付けるとともに、当該フィルターの他端部に設けられた係止穴へ前記ボスを挿入する。そして、このボスを熱溶着で溶かして前記フィルターの両端部を固定する。
【０００５】
この状態では、前記フィルターが緩んでノズル周面との間に隙間ができる可能性がある。このため、巻き付けたフィルターの重なり部分を、レーザー溶接して固定する。これにより、前記フィルターを円管状とし、緩みによるノズル周面間での隙間の発生を防止していた。
【発明の開示】
【発明が解決しようとする課題】
【０００６】
しかしながら、このようなフィルター取付構造にあっては、フィルターをレーザー溶接で固定するため、レーザー溶接を行う為の設備が必要となるという問題点があった。
【０００７】
本発明は、このような従来の課題に鑑みてなされたものであり、レーザー溶接を行うこと無く、フィルターを取り付けることができるフィルター取付構造を提供することを目的とするものである。
【課題を解決するための手段】
【０００８】
前記課題を解決するために本発明のフィルター取付構造にあっては、帯状のフィルターをノズルの周面に巻き付けて該周面に開口したポートを覆うフィルター取付構造において、前記フィルターを、基端部に挿通穴が設けられた本体構成部と、該本体構成部の先端より延出し前記挿通穴へ挿通される挿通部とで構成し、前記本体構成部の先端部及び前記挿通部に、前記周面に突設されたボスが挿入される第１及び第２挿入穴を設ける一方、このフィルターの前記本体構成部に設けられた前記第１挿入穴を前記ボスに係止して当該本体構成部を前記周面に巻き付け、前記挿通部を前記挿通穴へ挿通して折り返すとともに、当該挿通部の折返し部分を前記本体構成部に重ねた状態で前記第２挿入穴へ前記ボスを挿入し、該ボスを溶かして固定した。
【０００９】
すなわち、帯状のフィルターをノズルに取り付ける際には、本体構成部に設けられた第１挿入穴をノズルのボスに係止して、当該本体構成部をノズルの周面に巻き付ける。そして、前記本体構成部の先端に設けられた挿通部を、当該本体構成部の基端部に設けられた挿通穴へ挿通して折り返し、その折返し部分を、前記本体構成部の基端部に重ね合わせる。
【００１０】
このとき、前記本体構成部の先端部は、前記第１挿入穴がノズルのボスに係止された状態で位置決めされており、当該本体構成部の基端部は、挿通穴で折り返された挿通部に引っ張られた状態で位置決めされる。これにより、当該本体構成部材は、ノズルに巻かれた状態で弛みが防止される。
【００１１】
この状態において、前記本体構成部の第１挿入穴を挿通したボスを、前記挿通部に設けられた第２挿入穴へ挿入するとともに、当該ボスを溶かして固化することで、当該フィルターをノズルに固定する。
【００１２】
これにより、第１挿入穴が設けられた本体構成部の先端部、及び前記挿通穴で折り返された挿通部が、前記ボス位置にて固定され、ノズルに巻かれたフィルターの不用意な緩みが防止される。
【発明の効果】
【００１３】
以上説明したように本発明のフィルター取付構造にあっては、ノズルに突設されたボスを、巻き付けられたフィルターの第１及び第２挿入穴へ挿入し、溶かして固定するだけで、フィルターを緩み無くノズルに取り付けることができる。このため、熱溶着とレーザー溶接とを併用してフィルターの緩みを防止した従来と比較して、レーザー溶接が不要となる。
【００１４】
したがって、取付工程の簡素化を図ることができるとともに、レーザー溶接を行う為の設備が不要となる。
【発明を実施するための最良の形態】
【００１５】
以下、本発明の一実施の形態を図面に従って説明する。図１は、本実施の形態にかかるフィルター取付構造を備えた電磁弁１を示す図であり、該電磁弁１は、例えばオートマチックトランスミッションの油圧回路で油圧を制御するものである。
【００１６】
この電磁弁１は、合成樹脂製の樹脂成型品１１を備えており、カバー１２内に収容された前記樹脂成型品１１の部位には、ボビン１３が形成されている。該ボビン１３には、コイル１４が巻回されソレノイド１５が形成されており、該ソレノイド１５内には、ソレノイド１５で励磁されたコア１６に吸引されるプランジャ１７が上下動自在に収容されている。
【００１７】
前記カバー１２より下方に突出した前記樹脂成型品１１の部位には、図外のブロックの挿入穴に挿入されるノズル２１が形成されており、該ノズル２１は、基端側を構成する大径部２２と、該大径部２２より小径で先端側を構成する小径部２３とによって構成されている。
【００１８】
該小径部２３には、ボール弁３１が収容されたボール弁室３２が形成されれており、入力ポート３３からの油圧で押されたボール弁３１を前記プランジャ１７から延出したロッド３４先端のプッシャー３５で付勢することにより、先端フィルタ３６で覆われた入力ポート３３を開閉できるように構成されている。
【００１９】
前記小径部２３の基端部周面には、前記ボール弁３１で開閉される連通路４１に連通した出力ポート４２が開口しており、前記ボール弁３１の作動に応じて前記ボール弁室３２内のオイルを出力できるように構成されている。
【００２０】
前記大径部２２には、前記連通路３５に連通した弁室５１が設けられており、当該ノズル２１の周面５２には、前記弁室５１に連通したドレンポート５３が二箇所に開口している。これにより、前記ロッド３４周面に形成された弁部５４で前記連通路３５を開閉することによって、前記出力ポート４２のオイルを当該ドレンポート５３を介して排出できるように構成されている。
【００２１】
このドレンポート５３が開口したノズル２１の周面５２の部位には、溝状のフィルター取付部６１が周方向に凹設されており、該フィルター取付部６１には、図２に示すように、フィルター６３が巻き付けられた状態で取り付けられている。これにより、側方へ開口した前記ドレンポート５３は、このフィルター６３によって覆われており、外部からのコンタミの浸入を防止できるように構成されている。
【００２２】
このフィルター６３は、金属製であり、薄肉の帯状に形成されている。該フィルター６３は、本体構成部７１と、該本体構成部７１の先端より延出した挿通部７２とからなり、該挿通部７２は、その幅寸法が前記本体構成部７１より小さくなるように設定されている。
【００２３】
前記本体構成部７１の基端部には、挿通穴８１が開設されており、該挿通穴８１は、前記挿通部７２を挿通できる大きさに設定されている。この本体構成部７１には、メッシュ状のフィルター部８２が二箇所に設けられており、当該フィルター６３が前記ノズル２１に取り付けられた状態で、各フィルター部８２，８２が前記各ドレンポート５３を覆うように構成されている。両フィルター部８２，８２の間には、当該フィルター６３の長さ方向に延在する長穴８３が開設されており、ノズル巻き付け時に生じ得るフィルター６３の撓みを吸収できるように構成されている。
【００２４】
前記本体構成部７１の先端には、第１挿入穴９１が開設されており、前記ノズル２１の周面５２に突設された円柱状のボス９２を挿入できるように構成されている。この第１挿入穴９１は、当該フィルター６３の長さ方向に延在する横長に形成されており、この第１挿入穴９１の幅寸法は、当該本体構成部７１の基端側より先端側が狭くなるように設定されている。これにより、前記ボス９２を第１挿入穴９１の基端側に挿入した後、ボス９２が第１挿入穴９１の先端側に配置されるようにフィルター６３を移動することによって、挿入容易性と挿入後の離脱防止性とを両立できるように構成されている。
【００２５】
前記挿通部７２には、その中央部に括れ１０１が形成されており、この括れ１０１を境として基端側１０２と先端側の取っ手１０３とに容易に切断できるように構成されている。この括れ１０１より基端側には、第２の挿入穴１０４が開設されており、前記ボス９２を挿入できるように構成されている。この第２挿入穴１０４も、当該フィルター６３の長さ方向にに延在する横長に形成されており、ノズル巻き付け時において、長さ方向に生じる誤差を吸収して前記ボス９２を挿入できるように構成されている。
【００２６】
このフィルター６３は、以下の手順で取り付けられている。
【００２７】
すなわち、前記フィルター６３をノズル２１に取り付ける際には、図３の（ａ）に示すように、本体構成部７１に設けられた第１挿入穴９１をノズル２１のボス９２に係止して、当該本体構成部７１をノズル２１周面５２のフィルター取付部６１に巻き付け、前記本体構成部７１の先端に設けられた挿通部７２を、巻き付けられて手前側へ戻された本体構成部７１基端の挿通穴８１へ挿通する。そして、前記挿通部７２を、図３の（ｂ）に示すように、その取っ手部１０３を引っ張りながら本体構成部７１側へ折り返して折り癖を付けるとともに、その折返し部分を、前記本体構成部７１の基端部に重ね合わせる。
【００２８】
このとき、前記本体構成部７１の先端部は、前記第１挿入穴９１がノズル２１のボス９２に係止された状態で位置決めされており、当該本体構成部７１の基端部は、挿通穴８１で折り返された挿通部７２に引っ張られた状態で位置決めされる。これにより、当該本体構成部材７１は、ノズル２１に巻かれた状態で弛みが防止される。
【００２９】
この状態において、図３の（ｃ）に示すように、前記本体構成部７１の第１挿入穴９１を挿通した前記ボス９２を、前記挿通部７２に設けられた第２挿入穴１０４へ挿入し、前記取っ手１０３を括れ１０１にて切断する。その後、前記ボス９２を溶かして押し潰し、外径寸法を大きくした状態で固化することによって、当該フィルター６３をノズル２１に固定する。
【００３０】
これにより、前記第１挿入穴９１が設けられた本体構成部７１の先端部、及び前記挿通穴８１で折り返された挿通部７２を前記ボス９２位置で固定し、ノズル２１に巻かれたフィルター６３の不用意な緩みを防止する。
【００３１】
以上の構成にかかる本実施の形態にあっては、ノズル２１に突設されたボス９２を、巻き付けられたフィルター６３の第１及び第２挿入穴９１，１０４へ挿入し、溶かして固定するだけで、フィルター６３を緩み無くノズル２１に取り付けることができる。このため、熱溶着とレーザー溶接とを併用してフィルターの緩みを防止した従来と比較して、レーザー溶接が不要となる。
【００３２】
したがって、取付工程の簡素化を図ることができるとともに、レーザー溶接を行う為の設備が不要となる。
【図面の簡単な説明】
【００３３】
【図１】本発明の一実施の形態を示す図である。
【図２】（ａ）同実施の形態のノズル部分を示す拡大図であり、（ｂ）はフィルターを展開した状態を示す図である。
【図３】同実施の形態のノズルへのフィルターの取付手順を示す説明図であり、（ａ）はフィルターを巻き付けを示す図で、（ｂ）は（ａ）に続く手順を示す図で、（ｃ）は（ｂ）に続く手順を示す図である。
【符号の説明】
【００３４】
１    電磁弁
２１    ノズル
５２    周面
５３    ドレンポート
６１    フィルター取付部
６３    フィルター
７１    本体構成部
７２    挿通部
８１    挿通穴
９１    第１挿入穴
９２    ボス
１０４    第２挿入穴
【図１】
2005076834.tif 000003
【図２】
2005076834.tif 000004
【図３】
2005076834.tif 000005